(57)【要約】【課題】  偶発的な制御の発動を防止する遠隔制御のための命令送信機の動作方法を提供する。【解決手段】  ａ）制御インタフェースの１つまたは複数のキーに対する操作がこの操作に関連付けられている制御信号の送信を生じさせる第１のモードと、  ｂ）制御インタフェースのこの１つまたは複数のキーに対する操作が、制御される１つもしくは複数の装置および／または命令送信機に関係する情報の表示を前記情報インタフェース上において生じさせるが、この操作に第１のモードにおいて関連付けられる制御信号の送信は生じさせない第２のモードとを少なくとも含み、ロック手段が、少なくとも第１のモードからこの第２のモードへの移行を確実なものにすることを特徴とする方法。【選択図】      なし【特許請求の範囲】
【請求項１】
建物における快適性および／または安全性を提供する電気装置（１２）の遠隔制御のための命令送信機（１）の動作方法であって、前記命令送信機は、制御インタフェース（３）と、情報インタフェース（５）と、信号送信手段（８）と、信号受信手段（９）と、制御インタフェースをロックする手段とを含み、
ａ）前記制御インタフェースの１つまたは複数のキー（４ａ−４ｄ）に対する操作がこの操作に関連付けられている制御信号の送信を生じさせる第１のモードと、
ｂ）前記制御インタフェースの前記１つまたは複数のキー（４ａ−４ｄ）に対する操作が、制御される１つもしくは複数の前記装置および／または前記命令送信機に関係する情報の表示を前記情報インタフェース上において生じさせるが、この操作に第１のモードにおいて関連付けられる前記制御信号の送信は生じさせない第２のモードであって、ロック手段が、少なくとも前記第１のモードからこの第２のモードへの移行を確実なものにする第２のモード
とを少なくとも含むことを特徴とする方法。
【請求項２】
前記１つまたは複数の装置（１２）および／または前記命令送信機（１）に関する前記情報の表示は、少なくとも部分的に前記第１のモードにおいても利用可能である、請求項１に記載の動作方法。
【請求項３】
前記第１のモードにおいて、前記１つまたは複数のキー（４ａ−４ｄ）に対する操作は、
前記命令送信機（１）による制御メッセージの生成および送信の段階と、
装置（１２）に接続されている命令受信機（１３）によるこのメッセージの受信と、その次の、前記命令受信機（１３）による確認の生成および送信との後の、前記命令送信機（１）によるこの確認の受信の段階と、
前記情報インタフェース（５）上におけるこの確認の表示の段階、
とを生じさせる、請求項１または２に記載の動作方法。
【請求項４】
前記第２のモードにおいて、前記１つまたは複数のキー（４ａ−４ｄ）に対する操作は、
前記命令送信機（１）による問合せメッセージの生成および送信の段階と、
装置（１２）に接続されている命令受信機（１３）によるこのメッセージの受信と、その次の、前記命令受信機（１３）による確認の生成および送信との後の、前記命令送信機（１）によるこの確認の受信の段階と、
前記情報インタフェース（５）におけるこの確認の表示の段階、
とを生じさせる、請求項１から３のいずれか一項に記載の動作方法。
【請求項５】
前記情報は、前記制御される１つまたは複数の装置（１２）の状態および／または前記命令送信機（１）の状態に関係する、請求項１から４のいずれか一項に記載の動作方法。
【請求項６】
前記ロック手段は、前記制御インタフェース（３）上での特別な一連の操作を含む、請求項１から５のいずれか一項に記載の動作方法。
【請求項７】
前記ロック手段は時間遅延を含む、請求項１から５のいずれか一項に記載の動作方法。
【請求項８】
前記第２のモードから前記第１のモードへの移行は、前記制御インタフェース（３）上での特別な一連の操作によって確実なものにされる、請求項１から７のいずれか一項に記載の動作方法。
【請求項９】
処理ユニット（６）と、記憶装置（７）と、信号送信手段（８）と、信号受信手段（９）と、制御インタフェース（３）と、ユーザ情報インタフェース（５）とを備える命令送信機（１）であって、請求項１から８のいずれか一項に記載の方法の使用を可能にする前記制御インタフェースをロックする手段を備えることを特徴とする命令送信機。
【請求項１０】
前記ロック手段は機械的および／または電子的である、請求項９に記載の命令送信機。
【発明の詳細な説明】
【技術分野】
【０００１】
本発明は、建物内の快適性および／または安全性を実現する電気装置の遠隔制御のための命令送信機の動作方法に関し、この命令送信機は、制御インタフェースと、情報インタフェースと、信号送信手段と、信号受信手段と、制御インタフェースをロックする手段とを含む。本発明は、さらに、この方法によって動作する命令送信機にも関する。
【背景技術】
【０００２】
従来において命令送信機は制御キーを備える。この制御キーの１つを押すことが、そのキーに関連付けられている制御命令を、この命令送信機と対をなす、電気装置を制御する命令受信機に送信することを結果的に生じさせる。
【０００３】
持ち運び可能なタイプの遠隔命令送信機が、ポケットまたはバッグの中に入れて持ち運ばれる場合が多く、または、あまり注意されずに取り扱われる。したがって、偶発的な制御の発動が生じる可能性がある。
【０００４】
この問題は、一般的に、保護カバー、キー押し下げの固さ、もしくは、キーの凹み形状のような機械的ロック装置によって、または、電子装置によって解決される。例えば、ロックキーを押し下げることによってロックされることが可能なディジタルキーボードを備えた装置が開示されている（特許文献１）。
【０００５】
さらに、現在の遠隔制御装置は、その制御装置の現況すなわち状態を表示する手段を備えていることが多い。こうした装置は、例えば、特許文献２に開示されている。この明細書は、命令送信機の動作状態に関する情報をユーザが表示することを可能にする表示手段と、キーボードとを備えている命令送信機を開示する。キーボードは、命令送信機を起動させるためのパスワードを入力するために使用されることが可能である。制御キーボード上の特別なキーが状態問合せ機能を起動する。
【０００６】
同様に、トランシーバと、制御される対象の状態に関する返答情報の（視覚または音声）表示装置とを備える、車両用の電子キータイプの遠隔制御装置が開示されている（特許文献３）。
【０００７】
図１は、従来技術の公知の遠隔制御命令送信機の動作と反応との模式図である。この命令送信機は電気装置を制御する。
【０００８】
従来の方法では、ユーザが、キーボード上の１つまたは複数の特別なキーを押すといった、矢印４０で表されている命令送信機上での操作を行うと、命令送信機はボックス４１において制御命令を準備し、この制御命令を、矢印４２によって表されている通信によって電気装置に送信する。その次に、この装置はこの命令を受信し、ボックス４３においてこの命令を実行する。
【０００９】
この持ち運び可能な命令送信機は、さらに、状態問合せ機能を備えていることも可能である。これは、関連した装置の状態に関する双方向通信による問合せの問題である。したがって、命令送信機と装置は信号送信／受信機能を有する。
【００１０】
一般的に、この機能は、キーの二回押し、もしくは、キー押しの組合せのタイプの特別な人間工学（ergonomics）によって、または、別個のボタンを押すことによって実現されている。矢印４４によって表されているこの操作は、ボックス４５における問合せメッセージの準備と、矢印４６によって表されているこのメッセージの送信とを生じさせる。このメッセージに対する応答が装置によって送信され、矢印４７によって表されている。その次に、ボックス４８において、この装置の状態が表示される。
【００１１】
特許文献３が、車両の装置のための遠隔制御装置を開示する。この遠隔制御装置は、遠隔制御ユニット内の信号送信／受信手段と、車両内の信号送信／受信手段とを備える。遠隔制御ユニットから車両に命令を送信することを可能にするためには、車両によって認識されるか認識されない機密保護コードを入力することが必要である。遠隔制御ユニットは、さらに、ダイオードとスピーカのような、ユーザに情報提供する手段も備える。遠隔制御ユニットの各キーが機能に関連付けられている。遠隔制御ユニット上のキーを押すことが、車両に対する信号の送信を生じさせる。この信号は、特定の機能のための制御信号、車両の装置の状態に関する情報を求める要求、または、警報の起動であることが可能である。この信号は、機密保護コードがその信号の前または後のタイムスロット中に送信され終わっている場合にだけ解釈される。実際には、戻ってくる情報は、機密保護コードが車両によって適正に受信され終わっている場合にだけ、遠隔制御ユニットによって受信される。
【００１２】
【特許文献１】米国特許第４，６７０，７４７号
【００１３】
【特許文献２】欧州特許出願第１１７２９３７号
【００１４】
【特許文献３】欧州特許出願第０３２０４３９号
【発明の開示】
【発明が解決しようとする課題】
【００１５】
本発明の目的は、上述の問題点を克服することと従来技術の公知の方法を改善することとを可能にする方法を提供することである。特に、本発明は、制御される装置の状態および／または命令送信機自体の状態を問い合わせる手段を備える遠隔命令送信機の場合に、偶発的な制御の発動を防止することを可能にする方法を提案する。
【課題を解決するための手段】
【００１６】
本発明による動作方法は、この方法が少なくとも、
ａ）制御インタフェースの１つまたは複数のキーに対する操作がこの操作に関連付けられている制御信号の伝送を生じさせる第１のモードと、
ｂ）制御インタフェースのこの１つまたは複数のキーに対する操作が、制御される１つもしくは複数の装置および／または命令送信機に関係する情報の表示を情報インタフェース上において生じさせるが、この操作に第１のモードにおいて関連付けられる制御信号の送信は生じさせない第２のモード
とを含み、および、
ロック手段が、少なくとも第１のモードから第２のモードへの移行を確実なものにすることを特徴とする。
【００１７】
したがって、制御機能のこのロックは、異なる動作モードに、特に状態問合せモードに切り替わることによって行われる。このロックは、状態問合せのために使用されるキーボードをロックすることなしに、特定の制御の命令送信の働きを停止させることにある。このモードでは、キーボードのキーを偶発的に押しても、装置には影響が生じないであろう。それどころか、少なくとも特定の偶発的な制御命令が排除される。ロックを解除することが、制御を行うためにキーボードを完全に使用可能にする。
【００１８】
この方法の異なる具体化が従属請求項２から独立請求項８によって定義されている。
本発明による命令送信機は独立請求項９によって定義されている。
ロック手段は機械的および／または電子的であることが可能である。
添付図面は、本発明による方法の実施形態を一例として示す。
【発明を実施するための最良の形態】
【００１９】
図２に示されている命令送信機１は、キー４ａ−４ｆが設けられているキーボード３と情報表示装置５とを備えるケーシング２から成る。さらに、この命令送信機は、処理ユニット６と、記憶装置７と、信号送信手段８と、信号受信手段９と、キーボードをロックする手段とを備える。命令送信機１は、命令受信機１３を各々に備えておりかつ建物に備え付けられている、１つまたは複数の電気装置１２を制御するようになっている。この装置は、例えば、ガレージ扉、主扉、巻き上げ式ブラインド、または、照明ユニットから成ることが可能である。信号送信手段および信号受信手段は、各装置に関連付けられている命令受信機と双方向的に命令送信機が通信することを可能にする。したがって、受信の確認応答が各々の命令送信後に送信されることが可能である。この受信の確認応答の内容は、表示画面によってユーザに対して表示されることが可能である。
【００２０】
この受信の確認応答すなわち確認は、制御が命令受信機によって適正に受信され終わっているかどうか、および／または、その命令が適正に実行され終わっているかどうかをユーザが知ることを可能にする。
【００２１】
表示装置５は、例えば発光ダイオードを備える。この発光ダイオードの色、閃光の頻度、または、閃光の数に基づいたコードが、情報を符号化することを可能にする。表示装置５は液晶画面であることも可能である。
【００２２】
キー４ａ、４ｂ、４ｃ、４ｄ、４ｅが制御キーである。制御キーの各々は、例えば電動装置を上昇または下降させるための特有の命令の送信のために使用されることが可能であり、または、制御されるべき特定の装置に対応することが可能である。後者の場合には、これらのキーは逐次的に機能し、すなわち、連続的にキーを押すことが、「上昇」、「下降」、「停止」等のタイプの命令のシーケンスの送信を可能にする。
【００２３】
この送信機の「ロック解除」モードと呼ばれる第１の動作モードでは、制御インタフェースの制御キーの１つが押されると、命令送信機が対象の装置に命令を送信する。
【００２４】
他のキーが制御インタフェース上に存在することが可能である。例えば、情報キー４ｆが存在してもよい。命令送信機の動作モードが何であろうと、このキー４ｆが作動させられると、命令送信機が、制御される１つまたは複数の装置の状態を画面５上に表示する。
【００２５】
図３は、本発明による命令送信機の動作を示す流れ図である。
【００２６】
矢印２０によって表されている操作、例えば、順番に行われる一連のキー押し、連続的なキー押し、または、キーの長押しのタイプの、キーボードのキーに対する特別な人間工学の使用や、別個のボタンの操作、または、時間遅延の終了が、「ロック解除」モードから、「ロックされた」モードと呼ばれる、ボックス２１によって表されている状態問合せ動作モードに命令送信機を切り替えることを可能にする。このロックされたモードでは、幾つかの制御キー４ａ−４ｄは、もはや命令を装置に送信することを可能にしない。矢印２２によって表されているこれらのキーの押し下げが、ボックス２３において、例えばガレージ扉のような１つまたは複数の装置の状態に関する情報を求める要求として命令送信機によって解釈される。その次に、命令送信機は、矢印２４によって表されている問合せメッセージをガレージ扉に送信する。ガレージ扉は、矢印２５によって表されているその状態（開放、閉鎖、障害物の存在等）に関する応答を返す。その次に、命令送信機がこの状態をボックス２６で表示する。
【００２７】
こうして、例えばバッグ内でのまたは不注意な取り扱いの際のキーボードのこれらの制御キーの偶発的な押し下げは、不要な命令を全く生じさせず、状態問合せだけを結果的に生じさせるにすぎない。この構成は、さらに、キーの個数と機能の使用とを制限することを可能にし、このことが製造コストを低下させる。
【００２８】
特定の制御キーが、いわゆる「ロックされた」モード中においても有効状態のままであることが可能である。これは、例えば、安全対策に準拠するために、送信機が「ロックされた」モードにある時にさえ装置停止命令を送信することを可能にする制御キー４ｅの場合である。
【００２９】
例えば、順番に行われる一連のキー押し、連続的なキー押し、または、キーの長押しのタイプの、キーボードのキーに対する特別な人間工学や、別個のボタンの操作のような、矢印２７によって表される操作の後に、命令送信機は、「ロックされた」モードと呼ばれる状態問合せモードから、「ロック解除」モードと呼ばれかつボックス２８によって表されている制御モードに切り替わる。このモードでは、制御キーの１つを押すことが、ボックス３０によって表されている制御命令の準備と、矢印３１によって表されているこの制御の送信とを引き起こす。その命令は、装置に接続されている受信機によって受信された直後に、ボックス３２において実行される。
【００３０】
命令送信機は、時間遅延が完了するか、または、矢印２０によって表されている操作に等しい、矢印３３によって表されている特定の操作がある時に、「ロックされた」モードに再び切り替わる。
【図面の簡単な説明】
【００３１】
【図１】従来技術の公知の命令送信機の動作方法を流れ図である。
【図２】本発明による命令送信機のブロック図である。
【図３】命令送信機の動作方法の流れ図である。
【符号の説明】
【００３２】
１…命令送信機
２…ケーシング
３…キーボード
４ａ−４ｆ…キー
５…情報表示装置
６…処理ユニット
７…記憶装置
８…信号送信手段
９…信号受信手段
１２…電気装置
１３…命令受信機
【図１】
2004320778.tif 000002
【図２】
2004320778.tif 000003
【図３】
2004320778.tif 000004